(57)【特許請求の範囲】
【請求項１】
機器筐体の内部にファンモータを配置した電子機器であって、
前記ファンモータの一面側にある前記機器筐体の一壁面に接するブラケットと、
該ブラケットに取り付けられるとともに前記ファンモータの他面側にある前記機器筐体の他壁面に当接可能な複数の支柱と、を備え
前記複数の支柱の間に前記ファンモータが配置されていることを特徴とする電子機器。
【請求項２】
請求項１記載の電子機器において、
前記機器筐体に外力が付与されていない状態では、前記複数の支柱は少なくとも前記機器筐体の他壁面から離間しており、
前記機器筐体に外力が付与されて前記機器筐体が撓んだ場合に、前記複数の支柱が前記機器筐体の他壁面に対して当接した状態となることを特徴とする電子機器。
【請求項３】
請求項１または２記載の電子機器において、
前記ブラケットと前記機器筐体の他壁面との間に基板を備え、
前記複数の支柱は、前記基板に形成された貫通孔を通して前記ブラケットにネジ止め固定され、
前記基板には前記ファンモータを配設するための切欠き部が設けられ、前記ブラケットが前記切欠き部を跨ぐように配置されていることを特徴とする電子機器。
【請求項４】
請求項３記載の電子機器において、
前記支柱はネジ頭と、該ネジ頭から一方向に延びるネジ部とを有し、
前記基板に形成された貫通孔に前記他壁面側から前記一壁面側に向けて前記ネジ部が挿通されるとともに該ネジ部の先端が前記ブラケットに形成されたネジ孔に螺合され、
前記ネジ頭が前記他壁面に当接可能とされていることを特徴とする電子機器。
【請求項５】
請求項１から４のいずれか一項に記載の電子機器において、
前記ブラケットには、前記ファンモータに空気を流通させる通気孔が形成されていることを特徴とする電子機器。
【請求項６】
請求項１から５のいずれか一項に記載の電子機器において、
前記機器筐体の一面側にキーボード装置を備えることを特徴とする電子機器。 
【発明の詳細な説明】
【技術分野】
【０００１】
本発明は、電子機器に関する。
【背景技術】
【０００２】
ノート型パーソナルコンピュータ（ノート型ＰＣ）等の電子機器には、その機器筐体の内部にＣＰＵやグラフィックチップ等の発熱体が配設されている。そこで、電子機器の機器筐体の内部には、これらの発熱体を冷却するためのファンモータが搭載されることがある。
【０００３】
例えば、特許文献１には、電子機器の冷却に用いるファンモータとして、外周側にインペラ部を設けた回転部の中心に設けたシャフトを軸受部の内周面で軸支し、軸受部の外周側に固定子を配設すると共に、その外周側に回転部に固定された固定子を配設したアウターロータ型のファンモータが開示されている。このファンモータは、回転部やインペラ部をファン筐体の内部に収容しており、ファン筐体の上プレート部の中央には、外部の空気を吸込むための吸気口が開口形成されている。
【先行技術文献】
【特許文献】
【０００４】
【特許文献１】特開２０１３−１１７３００号公報
【発明の概要】
【発明が解決しようとする課題】
【０００５】
ところで、近年、ノート型ＰＣ等の電子機器では、薄型化の要望が大きくなっている。そのため、機器筐体やその内部に配設されるファンモータ等の機器も薄型化が進められており、機器筐体と機器との間の隙間も小さなものとなってきている。このため、例えば、使用者がキーボード装置を強く押下操作したり、機器筐体の上下面を掴むように把持したりした場合には、機器筐体が内側に撓み、機器筐体の壁面が内部の機器に干渉する可能性がある。
【０００６】
従って、上記特許文献１のファンモータをこのような電子機器に搭載した場合には、撓んだ機器筐体によってファン筐体の上面が押圧され、或いはこの上面に開口した吸気口の内側へと機器筐体が入り込み、ファンモータの回転部と干渉する可能性がある。機器筐体とファンモータとが干渉すると、その円滑な回転が阻害され、或いは回転ができなくなり、干渉の度合いによってはファンモータが変形し、破損してしまう懸念もある。
【０００７】
本発明は、上記に鑑みてなされたものであって、外力を受けた場合であってもファンモータの安定した回転を維持することができる電子機器を提供することを目的とする。
【課題を解決するための手段】
【０００８】
上述した課題を解決し、目的を達成するために、本発明に係る電子機器は、機器筐体の内部にファンモータを配置した電子機器であって、前記ファンモータの一面側にある前記機器筐体の一壁面に接するブラケットと、該ブラケットに取り付けられるとともに前記ファンモータの他面側にある前記機器筐体の他壁面に当接可能な複数の支柱と、を備え前記複数の支柱の間に前記ファンモータが配置されていることを特徴とする。
【０００９】
このような構成によれば、ブラケットに取り付けられるとともにファンモータの他面側にある機器筐体の他壁面に当接可能な複数の支柱を備えているので、機器筐体に外力が付与されて機器筐体の一壁面または他壁面が押圧されたときに複数の支柱が一壁面と他壁面との間で突っ張り棒となる。このため、機器筐体のそれ以上の撓みが阻止され、機器筐体がファンモータに干渉することが防止される。したがって、ファンモータの円滑な回転が阻害され、或いは回転ができなくなり、さらにはファンモータが変形して破損することを防止でき、安定した回転を維持することができる。
【００１０】
また、本発明に係る電子機器は、前記機器筐体に外力が付与されていない状態では、前記複数の支柱は少なくとも前記機器筐体の他壁面から離間しており、前記機器筐体に外力が付与されて前記機器筐体が撓んだ場合に、前記複数の支柱が前記機器筐体の他壁面に対して当接した状態となることが好ましい。この場合、機器筐体に外力が付与されていない通常時には、複数の支柱が機器筐体の内部で突っ張らないため、部品精度がある程度ばらついた場合であっても各部品の機器筐体への円滑な組付作業が可能となる。
【００１１】
また、本発明に係る電子機器は、前記ブラケットと前記機器筐体の他壁面との間に基板を備え、前記複数の支柱は、前記基板に形成された貫通孔を通して前記ブラケットにネジ止め固定され、前記基板には前記ファンモータを配設するための切欠き部が設けられ、前記ブラケットが前記切欠き部を跨ぐように配置されていることが好ましい。この場合、基板の切欠き部にファンモータが配置されているので、ファンモータは、切欠き部の位置から基板と平行な方向に効率よく排気をすることができる。そして、ブラケットが切欠き部を跨ぐように配置されているので、切欠き部があることによって剛性が低下している基板の剛性をブラケットにより高めることができる。
【００１２】
また、本発明に係る電子機器において、前記支柱はネジ頭と、該ネジ頭から一方向に延びるネジ部とを有し、前記基板に形成された貫通孔に前記他壁面側から前記一壁面側に向けて前記ネジ部が挿通されるとともに該ネジ部の先端が前記ブラケットに形成されたネジ孔に螺合され、前記ネジ頭が前記他壁面に当接可能とされていることが好ましい。この場合、組み付けのネジ頭を他壁面に当接可能に構成しているので、支柱が部材の固定機能と突っ張り棒としての機能を兼ねているので、部品点数を減らすとともに、組み付けの作業時間も短縮できる。
【００１３】
また、本発明に係る電子機器は、前記ブラケットには、前記ファンモータに空気を流通させる通気孔が形成されていることが好ましい。この場合、ブラケット側からもファンモータに空気を流通させることができ、熱の排出効率が良好となる。
【００１４】
また、本発明に係る電子機器は、前記機器筐体の一面側にキーボード装置を備えていてもよい。
【発明の効果】
【００１５】
本発明によれば、外力を受けた場合であってもファンモータの安定した回転を維持することができる電子機器を提供することができる。
【図面の簡単な説明】
【００１６】
【図１】図１は、本発明の一実施形態に係るファンモータを備えた電子機器の一部分解斜視図である。
【図２】図２は、図１に示すファンモータの斜視図である。
【図３】図３は、図１に示すファンモータを背面側から見た斜視図である。
【図４】図４は、本発明の一実施形態に係る電子機器の要部の断面を示す図である。
【図５】図５は、図４に示すファンモータを搭載した機器筐体に外力が付与された状態を示す断面図である。
【発明を実施するための形態】
【００１７】
以下、本発明に係るファンモータについて、このファンモータを備えた電子機器との関係で好適な実施の形態を挙げ、添付の図面を参照しながら詳細に説明する。
【００１８】
図１は、本発明の一実施形態に係るファンモータ１０を備えた電子機器１２の一部分解斜視図であり、キーボード装置１４を本体部１６から取り外した状態を示している。
【００１９】
図１に示すように、電子機器１２は、上面側に入力装置であるキーボード装置１４を搭載した本体部１６と、本体部１６のディスプレイとなる表示部１８とを備えたノート型ＰＣである。ファンモータ１０を適用可能な電子機器としては、ノート型ＰＣ以外にもデスクトップ型ＰＣやゲーム機器、さらには家電機器等、各種機器を例示できる。また、図１では、ファンモータ１０を縦置きで搭載して筐体の後方側から排気する構成を例示したが、ファンモータ１０は横置きや斜め置き等、各種姿勢で使用可能である。
【００２０】
本体部１６は、箱状の機器筐体２０と、機器筐体２０に収容されたマザーボード等の電子回路基板である本体基板２２とを有する。ファンモータ１０は、機器筐体２０の内部の奥側に配設されている。ファンモータ１０は、その一側面に開口した送風口２４（図３参照）が、機器筐体２０の側面に複数のスリットで設けて形成した排気口２６（図３参照）と対向するように設置される。本体基板２２には、図示しないＣＰＵ（中央演算装置）、チップセット、メモリなどが搭載されている。
【００２１】
ＣＰＵは、本体基板２２に搭載された機器のうちでも発熱量の大きな発熱体である。ファンモータ１０とＣＰＵとの間には例えばヒートパイプ２８が架け渡され、ＣＰＵで発生した熱をファンモータ１０によって効率的に排気口２６から外部へと排出可能となっている。ヒートパイプ２８を設けず、ファンモータ１０で発熱体を直接的に冷却する構成としても勿論よい。
【００２２】
表示部１８は、左右一対のヒンジ２９，２９によって本体部１６に対して回動可能に連結された蓋体である。表示部１８は、その内面に液晶表示パネル等のディスプレイを備える。表示部１８は、ヒンジ２９を通過した図示しないケーブルにより、本体基板２２と電気的に接続されている。
【００２３】
キーボード装置１４は、その上面に複数のキーを所定パターンで配列したキートップ群１４ａを有する。キーボード装置１４は、その一側面から引き出された図示しないケーブルにより本体基板２２に対してコネクタ接続される。
【００２４】
次に、ファンモータ１０の構成について説明する。図２は、ファンモータ１０の斜視図であり、図３は、ファンモータ１０を背面側から見た斜視図である。図４は、本発明の一実施形態に係る電子機器１２の要部の断面を示す図である。
【００２５】
ファンモータ１０は、駆動源となるモータ部（図示なし）と、モータ部によって回転駆動される回転部（図示なし）と、回転部の外周側に設けられたインペラ部３６とを備えた遠心ファンである。これらモータ部、回転部及びインペラ部３６は、ファン筐体３８の内部に収容されている。モータ部は、例えば磁石とコイルとから構成される。
【００２６】
ファン筐体３８は、モータ部、回転部及びインペラ部３６を収納する。ファン筐体３８は、回転部及びインペラ部３６の上面側を覆う上カバー板（第１カバー板）５５と、下面側を覆う下カバー板（第２カバー板）５６と、上カバー板５５と下カバー板５６との間に形成される収納空間の側面を覆う側壁板５７とを有する。
【００２７】
上カバー板５５は、図２に示すように矩形の一方側が円形状に形成された薄板である。上カバー板５５の中央には、インペラ部３６の一部を露出させるように、開口部５５ａが形成されている。開口部５５ａは、インペラ部３６の回転によって外部の空気をファン筐体３８内へと取込むための空気取込口となる。
【００２８】
下カバー板５６は、平面視で上カバー板５５と重なる外形形状である。下カバー板５６の中央には、インペラ部３６の一部を露出させるように、開口部５６ａが形成されている。開口部５６ａは、開口部５５ａと同様に、インペラ部３６の回転によって外部の空気をファン筐体３８内へと取込むための空気取込口である。
【００２９】
側壁板５７は、平面視で上カバー板５５及び下カバー板５６の外縁部を縁取る略Ｕ字形状の薄板である。側壁板５７は、インペラ部３６の側方を覆うものであり、複数の羽根を径外方向から囲むように立脚している。側壁板５７が上カバー板５５及び下カバー板５６とねじ止めやインサート成形によって固定されることにより、薄い箱状のファン筐体３８が形成される。ファン筐体３８では、側壁板５７が配設されていないＵ字の開口側となる位置が送風口２４となる（図３参照）。
【００３０】
したがって、ファンモータ１０では、モータ部によって回転部が回転駆動されると、インペラ部３６が軸芯回りに旋回し、空気の流れが発生する。これにより、上カバー板５５の開口部５５ａ及び下カバー板５６の開口部５６ａからファン筐体３８内に取込まれた空気は、送風口２４からファン筐体３８外へと排出され、機器筐体２０の排気口２６から外部に排気されることになる。この際、電子機器１２では、ヒートパイプ２８によって運ばれたＣＰＵの熱が送風口２４からの送風によって外部に排出される。
【００３１】
そして、本実施形態において、電子機器１２は、ファンモータ１０の一面側（図４において上面側）にある機器筐体２０の一壁面（ベースプレート１４ｂ）に接するブラケット４０と、このブラケット４０に取り付けられるとともにファンモータ１０の他面側（図４において下面側）にある機器筐体２０の他壁面（ボトムプレート２０ａ）に当接可能な複数の支柱４５と、を備えている。
【００３２】
ファンモータ１０は、複数の支柱４５の間に配置されている。具体的には、図３に示すように、４つの支柱４５がファンモータ１０を囲うように配設されている。これらブラケット４０及び複数の支柱４５は、ファンモータ１０を保護するために設けられている。
【００３３】
ブラケット４０は、略矩形の板状に形成されており、例えば剛性が高い金属材料で構成されている。ブラケット４０には、ボトムプレート２０ａ側に凹んだボスが形成されており、このボス４２の位置に各支柱４５が取り付けられている。また、ブラケット４０には、ファンモータ１０に空気を流通させる通気孔４３が形成されており、本実施形態では、ブラケット４０の中央部に通気孔が形成されている。この場合、ブラケット４０側からもファンモータ１０に空気を流通させることが可能である。なお、ブラケット４０は、ブラケット４０の一部分４０ａが切欠きされたＵ字形状でもよく、対向する一部分４０ａ、４０ｂが取り除かれて二つのブラケットに分離されていてもよい。
【００３４】
ブラケット４０とボトムプレート２０ａとの間には、本体基板２２が配置されている。本体基板２２には、ファンモータ１０を配設するための切欠き部２２ａが設けられている。そして、ブラケット４０が、この切欠き部４０ａを跨ぐように配置されている。また、
ボトムプレート２０ａには、空気を流通させる通気孔２０ｂが形成されている。
【００３５】
複数の支柱４５は、図５に示すように、機器筐体２０が外力を受けてある程度潰れ変形した場合に、下壁面（ボトムプレート２０ａ）に対して当接可能となる長さ寸法に設定されている。換言すれば、支柱４５は、図４に示すように、機器筐体２０が潰れ変形していない状態では、機器筐体２０の下壁面となるボトムプレート２０ａから離間する長さ寸法に設定されている。すなわち、機器筐体に外力が付与されていない状態では、複数の支柱４５は少なくとも機器筐体２０の他壁面（ボトムプレート２０ａ）から離間しており、機器筐体２０に外力が付与されて機器筐体２０が撓んだ場合に、複数の支柱４５が機器筐体２０の他壁面（ボトムプレート２０ａ）に対して当接した状態となる。
【００３６】
本実施形態において、各支柱４５は、ネジ頭４６と、該ネジ頭４６から一方向に延びるネジ部４７とを有し、本体基板２２に形成された貫通孔に他壁面（ボトムプレート２０ａ）側から一壁面（ベースプレート１４ｂ）側に向けてネジ部４７が挿通されるとともに該ネジ部４７の先端がブラケット４０に形成されたネジ孔に螺合されている。そして、本実施形態においては、ネジ頭４６が他壁面（ボトムプレート２０ａ）に当接可能とされている。
【００３７】
以上のような構成とされた電子機器１２によれば、ブラケット４０に取り付けられるとともにファンモータ１０の他面側にある機器筐体２０の他壁面（ボトムプレート２０ａ）に当接可能な複数の支柱４５を備えているので、機器筐体２０に外力が付与されて機器筐体２０の一壁面または他壁面が押圧されたときに複数の支柱４５が一壁面と他壁面との間で突っ張り棒となる。このため、機器筐体２０のそれ以上の撓みが阻止され、機器筐体２０がファンモータ１０に干渉することが防止される。したがって、ファンモータ１０の円滑な回転が阻害され、或いは回転ができなくなり、さらにはファンモータ１０が変形して破損することを防止でき、安定した回転を維持することができる。
【００３８】
また、本実施形態においては、ブラケット４０が切欠き部２２ａを跨ぐように配置されているので、切欠き部２２ａがあることによって剛性が低下している本体基板２２の剛性を、ブラケット４０を介在させることにより高めることができる。
【００３９】
また、ネジ頭４６を他壁面（ボトムプレート２０ａ）に当接可能に構成しているので、支柱４５が各部材の固定機能と突っ張り棒としての機能を兼ねることができ、部品点数を減らすとともに、組み付けの作業時間も短縮できる。
【００４０】
なお、本発明は、上記した実施形態に限定されるものではなく、本発明の主旨を逸脱しない範囲で自由に変更できることは勿論である。
【符号の説明】
【００４１】
１０  ファンモータ
１２  電子機器
１４  キーボード装置
１４ｂ  ベースプレート（一壁面）
１６  本体部
１８  表示部
２０  機器筐体
２０ａ  ボトムプレート（他壁面）
２０ｂ  通気孔
２２  本体基板（基板）
２２ａ  切欠き部
２４  送風口
２６  排気口
２８  ヒートパイプ
３６  インペラ部
３８  ファン筐体
４０  ブラケット
４２  ボス
４３  通気孔
４５  支柱
４６  ネジ頭
４７  ネジ部
５５  上カバー板
５５ａ、５６ａ  開口部
５６  下カバー板
５７  側壁板
【要約】
【課題】外力を受けた場合であってもファンモータの安定した回転を維持することができる電子機器を提供する。
【解決手段】ファンモータ１０の一面側にある機器筐体２０の一壁面１４ｂに接するブラケット４０と、該ブラケット４０に取り付けられるとともにファンモータ１０の他面側にある機器筐体２０の他壁面２０ａに当接可能な複数の支柱４５と、を備え、複数の支柱４５の間にファンモータ１０が配置されていることを特徴とする。
【選択図】図４【図１】
0005993510.tif 000002
【図２】
0005993510.tif 000003
【図３】
0005993510.tif 000004
【図４】
0005993510.tif 000005
【図５】
0005993510.tif 000006